(57)【要約】【課題】本発明は収納と選択機能を改善したメガネケースを開示した。【解決手段】収納箱を含み、前記収納箱の前端端面には左右対称の保存装置が設置され、左端の前記保存装置の中には上から下まで取り外し可能なドア装置が等距離のように陳列され、右端の前記保存装置の中には上から下まで緩衝装置が等距離のように陳列され、使用者がメガネを前記収納箱の中に置く必要があるとき、前記保存装置を開く必要があり、前記緩衝装置と前記取り外し可能なドア装置とを取り出し、それをロックし、前記収納箱の中には前方に開口した整理チャンバが設置され、前記整理チャンバの頂端内壁には入り口が連通設置され、前記整理チャンバの右側内壁には上から下まで三つのセットの分離板が等距離で配置されている。【選択図】図１
2020146428.tif 000002
【特許請求の範囲】
【請求項１】
収納箱を含み、前記収納箱の前端端面には左右対称の保存装置が設置され、左端の前記保存装置の中には上から下まで取り外し可能なドア装置が等距離のように陳列され、右端の前記保存装置の中には上から下まで緩衝装置が等距離のように陳列され、使用者がメガネを前記収納箱の中に置く必要があるとき、前記保存装置を開く必要があり、前記緩衝装置と前記取り外し可能なドア装置とを取り出し、それをロックし、前記収納箱の中には前方に開口した整理チャンバが設置され、前記整理チャンバの頂端内壁には入り口が連通設置され、前記整理チャンバの右側内壁には上から下まで三つのセットの分離板が等距離で配置され、その中には、組み合わせ完了の前記緩衝装置と前記取り外し可能なドア装置が前記入り口から前記整理チャンバの中に置かれてきれいに並び、前記収納箱の中には前記整理チャンバの左端に位置する駆動チャンバが設置され、前記駆動チャンバの中にはプッシュ配列装置が設置され、かつ前記整理チャンバの中にある組み合わせ完了の前記緩衝装置と前記取り外し可能なドア装置とを制御し、前記分離板にきれいに配置できるようにすることを特徴とする収納と選択機能を改善したメガネケース。
【請求項２】
前記保存装置は前記収納箱の前端端面に固定的に連結される保存箱を含み、前記保存箱の中には上方に開口した段階的放出チャンバが設置され、前記段階的放出チャンバのうち対称中心から離れている側の端面には左右に伸びている横揺動アームが固定的に連結され、前記横揺動アームには上に伸びている回転レバーが回転できるように連結され、前記回転レバーには上下に対称する回しレバーが設置され、前記段階的放出チャンバの中には前記横揺動アームの上下端に位置する対称になる止めドアがスライドできるように連結され、上端の前記止めドアと前記段階的放出チャンバの頂端端面とがスライドできるように連結され、前記止めドアの前端端面には前記回しレバーとスライドできるように連結されるスライド溝が設置され、前記段階的放出チャンバの内壁には左右対称の六組の収縮溝が上から下まで等距離で配置され、前記収縮溝の中にはボールがスライドできるように連結され、前記ボールのうち対称中心から離れている側と、前記収縮溝のうち対称中心から離れている側との間には戻しばねが連結され、前記段階的放出チャンバの中には前記ボールと当接できる支え板がスライドできるように連結され、前記支え板の下側と前記段階的放出チャンバの底端内壁との間には押し出しばねが連結され、左端の前記段階的放出チャンバの中には前記ボールと当接できる取り外し可能なドア装置が上から下まで等距離の陳列で配置され、右端の前記段階的放出チャンバの中には前記ボールと当接できる緩衝装置が上から下まで等距離で配置されることを特徴とする請求項１に記載の収納と選択機能を改善したメガネケース。
【請求項３】
前記緩衝装置は前記段階的放出チャンバの中にスライドできるように連結され、且つ前記ボールと当接する置き箱を含み、前記置き箱の中には上方に開口した緩衝チャンバが設置され、前記緩衝チャンバの底端内壁には上下に伸びている支持棒が固定的に連結され、前記支持棒の中には上下に貫通する段階的放出チャンバが設置され、昇降チャンバの左右端内壁にはリミットスライド溝が連通設置され、前記リミットスライド溝の中には駆動プッシュブロックがスライドできるように連結され、前記駆動プッシュブロックの下側と前記緩衝チャンバの底端内壁との間には抑えばねが連結され、前記支持棒の上端端面には受け台が固定的に連結され、前記受け台の上端端面には上方に開口した隠れ溝が設置され、前記隠れ溝の底端内壁には上下に伸びている連結棒がスライドできるように連結され、前記連結棒の下端末端と前記駆動プッシュブロックとの間が固定的に連結され、前記連結棒の上端末端には前記隠れ溝から伸び出す当接板が設置され、前記受け台には前記隠れ溝を中心として対称するつかみレバーが回転できるように連結され、前記つかみレバーの下端には前記駆動プッシュブロックと当接できるローラが設置され、前記つかみレバーの上端にはメガネフレームと当接できる掴み金具が設置され、前記緩衝チャンバの左右端内壁には前記受け台の上端に位置し、かつ対称するスライドレールが固定的に連結され、前記スライドレールの中にはスライドブロックがスライドできるように連結され、前記スライドブロックのうち対称中心から離れている側と前記緩衝チャンバの内壁のうち互いに近接する側には圧縮ばねが連結され、前記スライドブロックのうち対称中心に近い側にはスポンジ接触クッションが固定的に連結され、前記緩衝チャンバの左右端外側には対称するロックブロックが固定的に連結されることを特徴とする請求項２に記載の収納と選択機能を改善したメガネケース。
【請求項４】
前記取り外し可能なドア装置は、前記段階的放出チャンバとスライドできるように連結され、且つ前記ボールと当接できる埃止め板を含み、前記埃止め板の下側端ドアには前記ロックブロックとスライドできるように連結される掛けレバーが固定的に連結され、前記掛けレバーには前後対称のロックレバーが回転できるように連結され、前記ロックレバーのうち互いに近接する側にはトーションバネ（付図に示していない）が連結され、前記埃止め板にはカバーが嵌めて連結され、前記カバーの中には密封チャンバが設置され、前記密封チャンバの底端内壁には上下に伸びているプッシュレバーがスライドできるように連結され、前記プッシュレバーには前記密封チャンバの底部の外側に位置する緩衝スポンジが設置され、前記緩衝スポンジの上側と前記カバーの下側との間には止めばねが連結され、前記プッシュレバーの上端末端には左右対称のチェーンレバーが回転できるように連結され、前記チェーンレバーのうち対称中心から離れている端には前後が相通した抜き穴（参照番号なし）が設置され、前記密封チャンバの中には前記プッシュレバーの左右端に位置する対称のピストンブロックがスライドできるように連結され、前記ピストンブロックのうち互いに近接する側には引っ張りばねが連結され、前記ピストンブロックの前端端面には前記抜き穴（参照番号なし）とスライドできるように連結される固定テーパーが固定的に連結され、前記密封チャンバの底端の中には前記ピストンブロックのうち対称中心から離れている側に位置し、かつ対称する通気パイプが連通設置され、前記通気パイプには前記密封チャンバの底部の外側に位置するゴムリングが設置されることを特徴とする請求項２又は請求項３に記載の収納と選択機能を改善したメガネケース。
【請求項５】
有益的には、前記プッシュ配列装置は前記駆動チャンバの底端内壁に嵌めて設置されるモータを含み、前記モータの上端末端には上下に伸びている駆動軸が回転できるように連結され、前記駆動軸には上から下まで四組の駆動傘歯車が等距離でスリーブ連結され、前記駆動軸には前記駆動傘歯車と当接できる昇降摩擦ローラーがネジ山により連結され、前記駆動チャンバの中には前記駆動傘歯車とスライドできるように連結される支持リング（付図に示していない）が設置され、前記駆動チャンバの右側内壁には左右に前記整理チャンバの中まで伸びているネジ山軸が回転できるように連結され、前記ネジ山軸には前記駆動傘歯車と噛合し連結されることができる従動傘歯車が設置され、前記ネジ山軸には前記整理チャンバの中に位置するプッシュ爪がネジ山により連結されることを特徴とする請求項１に記載の収納と選択機能を改善したメガネケース。
【発明の詳細な説明】
【技術分野】
【０００１】
本発明はメガネ付属品技術分野に関し、具体的には収納と選択機能を改善したメガネケースである。
【背景技術】
【０００２】
インターネットのスクリーンの世界が豊かになっているため、人々は目が見すぎてメガネをかけて矯正することが必要である。メガネの日常の使用では、多くの人が自分の実際状況によっていくつかのメガネやサングラスを使用するが、伝統的なメガネケースは一つのケースだけで、転落や外から押されたときに内部を保護することができず、メガネが壊す。また、伝統的なメガネケースが独立で置かれ、その数が多くなると、ユーザーにとって選別が面倒で便利ではない。したがって、きれいに並べ、落ちにくいメガネケースを発明することは現在の業界発展の必然的な傾向となり、本発明は上記の問題を解決することができる装置を開示する。
【先行技術文献】
【特許文献】
【０００３】
【特許文献１】中国特許出願公開第１０６１７５２８７号明細書
【発明の概要】
【発明が解決しようとする課題】
【０００４】
本発明の目的は収納と選択機能を改善したメガネケースを提供し、それは上記の現在の技術中の問題を解決できる。
【課題を解決するための手段】
【０００５】
本発明は以下の技術プランを通じて実現する：本発明の収納と選択機能を改善したメガネケースは、収納箱を含み、前記収納箱の前端端面には左右対称の保存装置が設置され、左端の前記保存装置の中には上から下まで取り外し可能なドア装置が等距離のように陳列され、右端の前記保存装置の中には上から下まで緩衝装置が等距離のように陳列され、使用者がメガネを前記収納箱の中に置く必要があるとき、前記保存装置を開く必要があり、前記緩衝装置と前記取り外し可能なドア装置とを取り出し、それをロックし、前記収納箱の中には前方に開口した整理チャンバが設置され、前記整理チャンバの頂端内壁には入り口が連通設置され、前記整理チャンバの右側内壁には上から下まで三つのセットの分離板が等距離で配置され、その中には、組み合わせ完了の前記緩衝装置と前記取り外し可能なドア装置が前記入り口から前記整理チャンバの中に置かれてきれいに並び、前記収納箱の中には前記整理チャンバの左端に位置する駆動チャンバが設置され、前記駆動チャンバの中にはプッシュ配列装置が設置され、かつ前記整理チャンバの中にある組み合わせ完了の前記緩衝装置と前記取り外し可能なドア装置とを制御し、前記分離板にきれいに配置できるようにする。
【０００６】
優選的には、前記保存装置は前記収納箱の前端端面に固定的に連結される保存箱を含み、前記保存箱の中には上方に開口した段階的放出チャンバが設置され、前記段階的放出チャンバのうち対称中心から離れている側の端面には左右に伸びている横揺動アームが固定的に連結され、前記横揺動アームには上に伸びている回転レバーが回転できるように連結され、前記回転レバーには上下に対称する回しレバーが設置され、前記段階的放出チャンバの中には前記横揺動アームの上下端に位置する対称になる止めドアがスライドできるように連結され、上端の前記止めドアと前記段階的放出チャンバの頂端端面とがスライドできるように連結され、前記止めドアの前端端面には前記回しレバーとスライドできるように連結されるスライド溝が設置され、前記段階的放出チャンバの内壁には左右対称の六組の収縮溝が上から下まで等距離で配置され、前記収縮溝の中にはボールがスライドできるように連結され、前記ボールのうち対称中心から離れている側と、前記収縮溝のうち対称中心から離れている側との間には戻しばねが連結され、前記段階的放出チャンバの中には前記ボールと当接できる支え板がスライドできるように連結され、前記支え板の下側と前記段階的放出チャンバの底端内壁との間には押し出しばねが連結され、左端の前記段階的放出チャンバの中には前記ボールと当接できる取り外し可能なドア装置が上から下まで等距離の陳列で配置され、右端の前記段階的放出チャンバの中には前記ボールと当接できる緩衝装置が上から下まで等距離で配置される。
【０００７】
優選的には、前記緩衝装置は前記段階的放出チャンバの中にスライドできるように連結され、且つ前記ボールと当接する置き箱を含み、前記置き箱の中には上方に開口した緩衝チャンバが設置され、前記緩衝チャンバの底端内壁には上下に伸びている支持棒が固定的に連結され、前記支持棒の中には上下に貫通する段階的放出チャンバが設置され、昇降チャンバの左右端内壁にはリミットスライド溝が連通設置され、前記リミットスライド溝の中には駆動プッシュブロックがスライドできるように連結され、前記駆動プッシュブロックの下側と前記緩衝チャンバの底端内壁との間には抑えばねが連結され、前記支持棒の上端端面には受け台が固定的に連結され、前記受け台の上端端面には上方に開口した隠れ溝が設置され、前記隠れ溝の底端内壁には上下に伸びている連結棒がスライドできるように連結され、前記連結棒の下端末端と前記駆動プッシュブロックとの間が固定的に連結され、前記連結棒の上端末端には前記隠れ溝から伸び出す当接板が設置され、前記受け台には前記隠れ溝を中心として対称するつかみレバーが回転できるように連結され、前記つかみレバーの下端には前記駆動プッシュブロックと当接できるローラが設置され、前記つかみレバーの上端にはメガネフレームと当接できる掴み金具が設置され、前記緩衝チャンバの左右端内壁には前記受け台の上端に位置し、かつ対称するスライドレールが固定的に連結され、前記スライドレールの中にはスライドブロックがスライドできるように連結され、前記スライドブロックのうち対称中心から離れている側と前記緩衝チャンバの内壁のうち互いに近接する側には圧縮ばねが連結され、前記スライドブロックのうち対称中心に近い側にはスポンジ接触クッションが固定的に連結され、前記緩衝チャンバの左右端外側には対称するロックブロックが固定的に連結される。
【０００８】
優選的には、前記取り外し可能なドア装置は、前記段階的放出チャンバとスライドできるように連結され、且つ前記ボールと当接できる埃止め板を含み、前記埃止め板の下側端ドアには前記ロックブロックとスライドできるように連結される掛けレバーが固定的に連結され、前記掛けレバーには前後対称のロックレバーが回転できるように連結され、前記ロックレバーのうち互いに近接する側にはトーションバネ（付図に示していない）が連結され、前記埃止め板にはカバーが嵌めて連結され、前記カバーの中には密封チャンバが設置され、前記密封チャンバの底端内壁には上下に伸びているプッシュレバーがスライドできるように連結され、前記プッシュレバーには前記密封チャンバの底部の外側に位置する緩衝スポンジが設置され、前記緩衝スポンジの上側と前記カバーの下側との間には止めばねが連結され、前記プッシュレバーの上端末端には左右対称のチェーンレバーが回転できるように連結され、前記チェーンレバーのうち対称中心から離れている端には前後が相通した抜き穴（参照番号なし）が設置され、前記密封チャンバの中には前記プッシュレバーの左右端に位置する対称のピストンブロックがスライドできるように連結され、前記ピストンブロックのうち互いに近接する側には引っ張りばねが連結され、前記ピストンブロックの前端端面には前記抜き穴（参照番号なし）とスライドできるように連結される固定テーパーが固定的に連結され、前記密封チャンバの底端の中には前記ピストンブロックのうち対称中心から離れている側に位置し、かつ対称する通気パイプが連通設置され、前記通気パイプには前記密封チャンバの底部の外側に位置するゴムリングが設置される。
【０００９】
優選的には、前記プッシュ配列装置は前記駆動チャンバの底端内壁に嵌めて設置されるモータを含み、前記モータの上端末端には上下に伸びている駆動軸が回転できるように連結され、前記駆動軸には上から下まで四組の駆動傘歯車が等距離でスリーブ連結され、前記駆動軸には前記駆動傘歯車と当接できる昇降摩擦ローラーがネジ山により連結され、前記駆動チャンバの中には前記駆動傘歯車とスライドできるように連結される支持リング（付図に示していない）が設置され、前記駆動チャンバの右側内壁には左右に前記整理チャンバの中まで伸びているネジ山軸が回転できるように連結され、前記ネジ山軸には前記駆動傘歯車と噛合し連結されることができる従動傘歯車が設置され、前記ネジ山軸には前記整理チャンバの中に位置するプッシュ爪がネジ山により連結される。
【発明の効果】
【００１０】
本発明の有益的な効果は：本発明は構造が簡単で、操作が便利で、各メガネの独立保護箱によりメガネに対する全面的な保護を実現し、また内蔵される緩衝構造により日常生活の使用と移動の外界からの衝撃を緩め、メガネの使用寿命を延長し、段階的にシングルバッチで放出する保存チャンバにより保護箱を順次に収集し、そして整理するとき保護箱を固定的な収納箱の中に置き、プッシュ配列装置により保護箱をきれいに順次に配置させ、その後の使用の選択と移動に便利である。
【図面の簡単な説明】
【００１１】
説明しやすいため、本発明は以下の具体的な実施例と付図を交え詳しく説明する。
【００１２】
【図１】図１は本発明の収納と選択機能を改善したメガネケースの全体構成略図
【図２】図２は図１の緩衝装置と取り外し可能なドア装置とが作動する時の構造略図
【図３】図３は図１のＡの拡大構成略図
【発明を実施するための形態】
【００１３】
下記に図１〜３をあわせて本発明について詳しく説明し、便利に説明するために、下記の方向を以下のように規定する：以下に述べる上下左右前後の方向と図１の自身投影関係の上下左右前後の方向とが一致である。
【００１４】
図１〜３を参照し、本発明の収納と選択機能を改善したメガネケースは、収納箱１０を含み、前記収納箱１０の前端端面には左右対称の保存装置が設置され、左端の前記保存装置の中には上から下まで取り外し可能なドア装置が等距離のように陳列され、右端の前記保存装置の中には上から下まで緩衝装置が等距離のように陳列され、使用者がメガネを前記収納箱１０の中に置く必要があるとき、前記保存装置を開く必要があり、前記緩衝装置と前記取り外し可能なドア装置とを取り出し、それをロックし、前記収納箱１０の中には前方に開口した整理チャンバ１１が設置され、前記整理チャンバ１１の頂端内壁には入り口２８が連通設置され、前記整理チャンバ１１の右側内壁には上から下まで三つのセットの分離板１２が等距離で配置され、その中には、組み合わせ完了の前記緩衝装置と前記取り外し可能なドア装置が前記入り口２８から前記整理チャンバ１１の中に置かれてきれいに並び、前記収納箱１０の中には前記整理チャンバ１１の左端に位置する駆動チャンバ２６が設置され、前記駆動チャンバ２６の中にはプッシュ配列装置が設置され、かつ前記整理チャンバ１１の中にある組み合わせ完了の前記緩衝装置と前記取り外し可能なドア装置とを制御し、前記分離板１２にきれいに配置できるようにする。
【００１５】
有益的には、前記保存装置は前記収納箱１０の前端端面に固定的に連結される保存箱１９を含み、前記保存箱１９の中には上方に開口した段階的放出チャンバ１８が設置され、前記段階的放出チャンバ１８のうち対称中心から離れている側の端面には左右に伸びている横揺動アーム１６が固定的に連結され、前記横揺動アーム１６には上に伸びている回転レバー１７が回転できるように連結され、前記回転レバー１７には上下に対称する回しレバー１５が設置され、前記段階的放出チャンバ１８の中には前記横揺動アーム１６の上下端に位置する対称になる止めドア１３がスライドできるように連結され、上端の前記止めドア１３と前記段階的放出チャンバ１８の頂端端面とがスライドできるように連結され、前記止めドア１３の前端端面には前記回しレバー１５とスライドできるように連結されるスライド溝１４が設置され、前記段階的放出チャンバ１８の内壁には左右対称の六組の収縮溝６４が上から下まで等距離で配置され、前記収縮溝６４の中にはボール６２がスライドできるように連結され、前記ボール６２のうち対称中心から離れている側と、前記収縮溝６４のうち対称中心から離れている側との間には戻しばね６３が連結され、前記段階的放出チャンバ１８の中には前記ボール６２と当接できる支え板６５がスライドできるように連結され、前記支え板６５の下側と前記段階的放出チャンバ１８の底端内壁との間には押し出しばね６６が連結され、左端の前記段階的放出チャンバ１８の中には前記ボール６２と当接できる取り外し可能なドア装置が上から下まで等距離の陳列で配置され、右端の前記段階的放出チャンバ１８の中には前記ボール６２と当接できる緩衝装置が上から下まで等距離で配置される。
【００１６】
有益的には、前記緩衝装置は前記段階的放出チャンバ１８の中にスライドできるように連結され、且つ前記ボール６２と当接する置き箱４５を含み、前記置き箱４５の中には上方に開口した緩衝チャンバ４６が設置され、前記緩衝チャンバ４６の底端内壁には上下に伸びている支持棒５０が固定的に連結され、前記支持棒５０の中には上下に貫通する段階的放出チャンバ１８が設置され、昇降チャンバ４８の左右端内壁にはリミットスライド溝５１が連通設置され、前記リミットスライド溝５１の中には駆動プッシュブロック４７がスライドできるように連結され、前記駆動プッシュブロック４７の下側と前記緩衝チャンバ４６の底端内壁との間には抑えばね４９が連結され、前記支持棒５０の上端端面には受け台５６が固定的に連結され、前記受け台５６の上端端面には上方に開口した隠れ溝５５が設置され、前記隠れ溝５５の底端内壁には上下に伸びている連結棒５３がスライドできるように連結され、前記連結棒５３の下端末端と前記駆動プッシュブロック４７との間が固定的に連結され、前記連結棒５３の上端末端には前記隠れ溝５５から伸び出す当接板５７が設置され、前記受け台５６には前記隠れ溝５５を中心として対称するつかみレバー５４が回転できるように連結され、前記つかみレバー５４の下端には前記駆動プッシュブロック４７と当接できるローラ５２が設置され、前記つかみレバー５４の上端にはメガネフレームと当接できる掴み金具５８が設置され、前記緩衝チャンバ４６の左右端内壁には前記受け台５６の上端に位置し、かつ対称するスライドレール４４が固定的に連結され、前記スライドレール４４の中にはスライドブロック４３がスライドできるように連結され、前記スライドブロック４３のうち対称中心から離れている側と前記緩衝チャンバ４６の内壁のうち互いに近接する側には圧縮ばね４１が連結され、前記スライドブロック４３のうち対称中心に近い側にはスポンジ接触クッション４２が固定的に連結され、前記緩衝チャンバ４６の左右端外側には対称するロックブロック２９が固定的に連結される。
【００１７】
有益的には、前記取り外し可能なドア装置は、前記段階的放出チャンバ１８とスライドできるように連結され、且つ前記ボール６２と当接できる埃止め板３１を含み、前記埃止め板３１の下側端ドアには前記ロックブロック２９とスライドできるように連結される掛けレバー４０が固定的に連結され、前記掛けレバー４０には前後対称のロックレバー３０が回転できるように連結され、前記ロックレバー３０のうち互いに近接する側にはトーションバネ（付図に示していない）が連結され、前記埃止め板３１にはカバー３３が嵌めて連結され、前記カバー３３の中には密封チャンバ３４が設置され、前記密封チャンバ３４の底端内壁には上下に伸びているプッシュレバー６０がスライドできるように連結され、前記プッシュレバー６０には前記密封チャンバ３４の底部の外側に位置する緩衝スポンジ５９が設置され、前記緩衝スポンジ５９の上側と前記カバー３３の下側との間には止めばね６１が連結され、前記プッシュレバー６０の上端末端には左右対称のチェーンレバー３６が回転できるように連結され、前記チェーンレバー３６のうち対称中心から離れている端には前後が相通した抜き穴（参照番号なし）が設置され、前記密封チャンバ３４の中には前記プッシュレバー６０の左右端に位置する対称のピストンブロック３５がスライドできるように連結され、前記ピストンブロック３５のうち互いに近接する側には引っ張りばね３８が連結され、前記ピストンブロック３５の前端端面には前記抜き穴（参照番号なし）とスライドできるように連結される固定テーパー３７が固定的に連結され、前記密封チャンバ３４の底端の中には前記ピストンブロック３５のうち対称中心から離れている側に位置し、かつ対称する通気パイプ３９が連通設置され、前記通気パイプ３９には前記密封チャンバ３４の底部の外側に位置するゴムリング３２が設置される。
【００１８】
有益的には、前記プッシュ配列装置は前記駆動チャンバ２６の底端内壁に嵌めて設置されるモータ２４を含み、前記モータ２４の上端末端には上下に伸びている駆動軸２７が回転できるように連結され、前記駆動軸２７には上から下まで四組の駆動傘歯車２５が等距離でスリーブ連結され、前記駆動軸２７には前記駆動傘歯車２５と当接できる昇降摩擦ローラー２３がネジ山により連結され、前記駆動チャンバ２６の中には前記駆動傘歯車２５とスライドできるように連結される支持リング（付図に示していない）が設置され、前記駆動チャンバ２６の右側内壁には左右に前記整理チャンバ１１の中まで伸びているネジ山軸２１が回転できるように連結され、前記ネジ山軸２１には前記駆動傘歯車２５と噛合し連結されることができる従動傘歯車２２が設置され、前記ネジ山軸２１には前記整理チャンバ１１の中に位置するプッシュ爪２０がネジ山により連結される。
【００１９】
本発明の装置が初期状態に、前記取り外し可能なドア装置と前記緩衝装置を段階的に前記段階的放出チャンバ１８の中に取り付け、かつ前記支え板６５によって前記段階的放出チャンバ１８の最底端を抑え、前記押し出しばね６６に動力エネルギーを蓄積させ、前記モータ２４が閉じ、各部品が非作業状態にある。
【００２０】
本発明の装置を使用するとき、上端の前記止めドア１３をスライドして開き、上端の前記スライド溝１４と上端の前記回しレバー１５との当接により回転レバー１７をプッシュし回転させ、下端の前記回しレバー１５が下端の前記スライド溝１４との当接により前記止めドア１３をプッシュし当接させ、前記取り外し可能なドア装置と前記緩衝装置とを一つずつ取り出し組み合わせ、メガネを前記受け台５６に置き、メガネの重力により前記当接板５７を押し、前記連結棒５３により前記駆動プッシュブロック４７を下に移動させて前記抑えばね４９に動力エネルギーを蓄積させ、前記駆動プッシュブロック４７が前記ローラ５２との当接により前記つかみレバー５４を回転させて前記掴み金具５８にメガネフレームをロックさせ、また前記埃止め板３１に前記置き箱４５の上端をカバーさせ、前記掛けレバー４０がスライドし前記ロックブロック２９を貫通し、かつ前記ロックレバー３０の制限によりロックされ、そして組み合わせ完了の前記取り外し可能なドア装置と前記緩衝装置を前記入り口２８から前記整理チャンバ１１の中に置き、前記モータ２４が始動されて前記駆動軸２７を回転させ、前記駆動軸２７がネジ山による連結を通じて前記昇降摩擦ローラー２３を上に移動させ、前記昇降摩擦ローラー２３が前記駆動傘歯車２５との当接によりそれを回転させ、前記駆動傘歯車２５が噛合連結により前記従動傘歯車２２を回転させ、前記従動傘歯車２２が前記ネジ山軸２１により前記プッシュ爪２０を回転させ右に移動させ、これにより組み合わせ体をプッシュし移動させて前記分離板１２により制限されきれいに配列させ、移動する過程では、圧出や震動などの状況が出る可能性があり、このとき、組み合わせ体が左右に揺動するときに前記スポンジ接触クッション４２の柔らかい材質と、前記スライドブロック４３と前記圧縮ばね４１との固定連結を利用し衝撃を緩衝しメガネを保護でき、組み合わせ体が上下に揺動すると、メガネがジャンプして前記緩衝スポンジ５９と当接し前記プッシュレバー６０をプッシュして上に移動させて前記止めばね６１に動力エネルギーを蓄積させ、前記プッシュレバー６０が回転し、前記チェーンレバー３６が展開して前記ピストンブロック３５をプッシュして気体を押して気体を前記ゴムリング３２に充填しメガネと接触させ、メガネを保護する。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020146428.tif 000003
【図２】
2020146428.tif 000004
【図３】
2020146428.tif 000005
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
収納箱を含み、前記収納箱の前端端面には左右対称の保存装置が設置され、左端の前記保存装置の中には上から下まで取り外し可能なドア装置が等距離のように陳列され、右端の前記保存装置の中には上から下まで緩衝装置が等距離のように陳列され、使用者がメガネを前記収納箱の中に置く必要があるとき、前記保存装置を開く必要があり、前記緩衝装置と前記取り外し可能なドア装置とを取り出し、それをロックし、前記収納箱の中には前方に開口した整理チャンバが設置され、前記整理チャンバの頂端内壁には入り口が連通設置され、前記整理チャンバの右側内壁には上から下まで三つのセットの分離板が等距離で配置され、組み合わせ完了の前記緩衝装置と前記取り外し可能なドア装置が前記入り口から前記整理チャンバの中に置かれてきれいに並び、前記収納箱の中には前記整理チャンバの左端に位置する駆動チャンバが設置され、前記駆動チャンバの中にはプッシュ配列装置が設置され、かつ前記整理チャンバの中にある組み合わせ完了の前記緩衝装置と前記取り外し可能なドア装置とを制御し、前記分離板にきれいに配置できるようにし、
前記保存装置は前記収納箱の前端端面に固定的に連結される保存箱を含み、前記保存箱の中には上方に開口した段階的放出チャンバが設置され、前記段階的放出チャンバのうち対称中心から離れている側の端面には左右に伸びている横揺動アームが固定的に連結され、前記横揺動アームには上に伸びている回転レバーが回転できるように連結され、前記回転レバーには上下に対称する回しレバーが設置され、前記段階的放出チャンバの中には前記横揺動アームの上下端に位置する対称になる止めドアがスライドできるように連結され、上端の前記止めドアと前記段階的放出チャンバの頂端端面とがスライドできるように連結され、前記止めドアの前端端面には前記回しレバーとスライドできるように連結されるスライド溝が設置され、前記段階的放出チャンバの内壁には左右対称の六組の収縮溝が上から下まで等距離で配置され、前記収縮溝の中にはボールがスライドできるように連結され、前記ボールのうち対称中心から離れている側と、前記収縮溝のうち対称中心から離れている側との間には戻しばねが連結され、前記段階的放出チャンバの中には前記ボールと当接できる支え板がスライドできるように連結され、前記支え板の下側と前記段階的放出チャンバの底端内壁との間には押し出しばねが連結され、左端の前記段階的放出チャンバの中には前記ボールと当接できる取り外し可能なドア装置が上から下まで等距離の陳列で配置され、右端の前記段階的放出チャンバの中には前記ボールと当接できる緩衝装置が上から下まで等距離で配置され、
前記緩衝装置は前記段階的放出チャンバの中にスライドできるように連結され、且つ前記ボールと当接する収容箱を含み、前記収容箱の中には上方に開口した緩衝チャンバが設置され、前記緩衝チャンバの底端内壁には上下に伸びている支持棒が固定的に連結され、前記支持棒の中には上下に貫通する段階的放出チャンバが設置され、昇降チャンバの左右端内壁にはリミットスライド溝が連通設置され、前記リミットスライド溝の中には駆動プッシュブロックがスライドできるように連結され、前記駆動プッシュブロックの下側と前記緩衝チャンバの底端内壁との間には抑えばねが連結され、前記支持棒の上端端面には受け台が固定的に連結され、前記受け台の上端端面には上方に開口した隠れ溝が設置され、前記隠れ溝の底端内壁には上下に伸びている連結棒がスライドできるように連結され、前記連結棒の下端末端と前記駆動プッシュブロックとの間が固定的に連結され、前記連結棒の上端末端には前記隠れ溝から伸び出す当接板が設置され、前記受け台には前記隠れ溝を中心として対称するつかみレバーが回転できるように連結され、前記つかみレバーの下端には前記駆動プッシュブロックと当接できるローラが設置され、前記つかみレバーの上端にはメガネフレームと当接できる掴み金具が設置され、前記緩衝チャンバの左右端内壁には前記受け台の上端に位置し、かつ対称するスライドレールが固定的に連結され、前記スライドレールの中にはスライドブロックがスライドできるように連結され、前記スライドブロックのうち対称中心から離れている側と前記緩衝チャンバの内壁のうち互いに近接する側には圧縮ばねが連結され、前記スライドブロックのうち対称中心に近い側にはスポンジ接触クッションが固定的に連結され、前記緩衝チャンバの左右端外側には対称するロックブロックが固定的に連結され、
前記取り外し可能なドア装置は、前記段階的放出チャンバとスライドできるように連結され、且つ前記ボールと当接できる埃止め板を含み、前記埃止め板の下面には前記ロックブロックとスライドできるように連結される掛けレバーが固定的に連結され、前記掛けレバーには前後対称のロックレバーが回転できるように連結され、前記ロックレバーと前記掛けレバーとはトーションバネ（付図に示していない）によって連結され、前記埃止め板にはカバーが嵌めて連結され、前記カバーの中には密封チャンバが設置され、前記密封チャンバの底端内壁には上下に伸びているプッシュレバーがスライドできるように連結され、前記プッシュレバーには前記密封チャンバの底部の外側に位置する緩衝スポンジが設置され、前記緩衝スポンジの上側と前記カバーの下側との間には止めばねが連結され、前記プッシュレバーの上端末端には左右対称のチェーンレバーが回転できるように連結され、前記チェーンレバーには前後を連通する矩形状の抜き穴（参照番号なし）が形成され、且つ前記抜き穴は前記チェーンレバーにおいて前記プッシュレバーから離れた側に位置し、前記密封チャンバの中には前記プッシュレバーの左右端に位置する対称のピストンブロックがスライドできるように連結され、前記ピストンブロックのうち互いに近接する側には引っ張りばねが連結され、前記ピストンブロックの前端端面には前記抜き穴（参照番号なし）とスライドできるように連結される固定テーパーが固定的に連結され、前記密封チャンバの底端の中には前記ピストンブロックのうち対称中心から離れている側に位置し、かつ対称する通気パイプが連通設置され、前記通気パイプには前記密封チャンバの底部の外側に位置するゴムリングが設置され、
前記プッシュ配列装置は前記駆動チャンバの底端内壁に嵌めて設置されるモータを含み、前記モータの上端末端には上下に伸びている駆動軸が回転できるように連結され、前記駆動軸には上方から下方へと四組の駆動傘歯車が等距離に配列され、前記駆動軸には前記駆動傘歯車とスプラインを介して連結できる昇降摩擦ローラーがネジ山を介して連結され、前記駆動チャンバの中には前記駆動傘歯車とスライドできるように連結される支持リング（付図に示していない）が設置され、前記駆動チャンバの右内壁には前記整理チャンバに延在するネジ山軸が回転できるように連結され、前記ネジ山軸には前記駆動傘歯車と噛合し連結されることができる従動傘歯車が設置され、前記ネジ山軸には前記整理チャンバの中に位置するプッシュ爪がネジ山により連結されることを特徴とする収納と選択機能を改善したメガネケース。
【手続補正２】
【補正対象書類名】明細書
【補正対象項目名】全文
【補正方法】変更
【補正の内容】
【発明の詳細な説明】
【技術分野】
【０００１】
本発明はメガネ付属品技術分野に関し、具体的には収納と選択機能を改善したメガネケースである。
【背景技術】
【０００２】
インターネットのスクリーンの世界が豊かになっているため、人々は目が見すぎてメガネをかけて矯正することが必要である。メガネの日常の使用では、多くの人が自分の実際状況によっていくつかのメガネやサングラスを使用するが、伝統的なメガネケースは一つのケースだけで、転落や外から押されたときに内部を保護することができず、メガネが壊す。また、伝統的なメガネケースが独立で置かれ、その数が多くなると、ユーザーにとって選別が面倒で便利ではない。したがって、きれいに並べ、落ちにくいメガネケースを発明することは現在の業界発展の必然的な傾向となり、本発明は上記の問題を解決することができる装置を開示する。
【先行技術文献】
【特許文献】
【０００３】
【特許文献１】中国特許出願公開第１０６１７５２８７号明細書
【発明の概要】
【発明が解決しようとする課題】
【０００４】
本発明の目的は収納と選択機能を改善したメガネケースを提供し、それは上記の現在の技術中の問題を解決できる。
【課題を解決するための手段】
【０００５】
本発明は以下の技術プランを通じて実現する：本発明の収納と選択機能を改善したメガネケースは、収納箱を含み、前記収納箱の前端端面には左右対称の保存装置が設置され、左端の前記保存装置の中には上から下まで取り外し可能なドア装置が等距離のように陳列され、右端の前記保存装置の中には上から下まで緩衝装置が等距離のように陳列され、使用者がメガネを前記収納箱の中に置く必要があるとき、前記保存装置を開く必要があり、前記緩衝装置と前記取り外し可能なドア装置とを取り出し、それをロックし、前記収納箱の中には前方に開口した整理チャンバが設置され、前記整理チャンバの頂端内壁には入り口が連通設置され、前記整理チャンバの右側内壁には上から下まで三つのセットの分離板が等距離で配置され、組み合わせ完了の前記緩衝装置と前記取り外し可能なドア装置が前記入り口から前記整理チャンバの中に置かれてきれいに並び、前記収納箱の中には前記整理チャンバの左端に位置する駆動チャンバが設置され、前記駆動チャンバの中にはプッシュ配列装置が設置され、かつ前記整理チャンバの中にある組み合わせ完了の前記緩衝装置と前記取り外し可能なドア装置とを制御し、前記分離板にきれいに配置できるようにする。
【０００６】
優選的には、前記保存装置は前記収納箱の前端端面に固定的に連結される保存箱を含み、前記保存箱の中には上方に開口した段階的放出チャンバが設置され、前記段階的放出チャンバのうち対称中心から離れている側の端面には左右に伸びている横揺動アームが固定的に連結され、前記横揺動アームには上に伸びている回転レバーが回転できるように連結され、前記回転レバーには上下に対称する回しレバーが設置され、前記段階的放出チャンバの中には前記横揺動アームの上下端に位置する対称になる止めドアがスライドできるように連結され、上端の前記止めドアと前記段階的放出チャンバの頂端端面とがスライドできるように連結され、前記止めドアの前端端面には前記回しレバーとスライドできるように連結されるスライド溝が設置され、前記段階的放出チャンバの内壁には左右対称の六組の収縮溝が上から下まで等距離で配置され、前記収縮溝の中にはボールがスライドできるように連結され、前記ボールのうち対称中心から離れている側と、前記収縮溝のうち対称中心から離れている側との間には戻しばねが連結され、前記段階的放出チャンバの中には前記ボールと当接できる支え板がスライドできるように連結され、前記支え板の下側と前記段階的放出チャンバの底端内壁との間には押し出しばねが連結され、左端の前記段階的放出チャンバの中には前記ボールと当接できる取り外し可能なドア装置が上から下まで等距離の陳列で配置され、右端の前記段階的放出チャンバの中には前記ボールと当接できる緩衝装置が上から下まで等距離で配置される。
【０００７】
優選的には、前記緩衝装置は前記段階的放出チャンバの中にスライドできるように連結され、且つ前記ボールと当接する収容箱を含み、前記収容箱の中には上方に開口した緩衝チャンバが設置され、前記緩衝チャンバの底端内壁には上下に伸びている支持棒が固定的に連結され、前記支持棒の中には上下に貫通する段階的放出チャンバが設置され、昇降チャンバの左右端内壁にはリミットスライド溝が連通設置され、前記リミットスライド溝の中には駆動プッシュブロックがスライドできるように連結され、前記駆動プッシュブロックの下側と前記緩衝チャンバの底端内壁との間には抑えばねが連結され、前記支持棒の上端端面には受け台が固定的に連結され、前記受け台の上端端面には上方に開口した隠れ溝が設置され、前記隠れ溝の底端内壁には上下に伸びている連結棒がスライドできるように連結され、前記連結棒の下端末端と前記駆動プッシュブロックとの間が固定的に連結され、前記連結棒の上端末端には前記隠れ溝から伸び出す当接板が設置され、前記受け台には前記隠れ溝を中心として対称するつかみレバーが回転できるように連結され、前記つかみレバーの下端には前記駆動プッシュブロックと当接できるローラが設置され、前記つかみレバーの上端にはメガネフレームと当接できる掴み金具が設置され、前記緩衝チャンバの左右端内壁には前記受け台の上端に位置し、かつ対称するスライドレールが固定的に連結され、前記スライドレールの中にはスライドブロックがスライドできるように連結され、前記スライドブロックのうち対称中心から離れている側と前記緩衝チャンバの内壁のうち互いに近接する側には圧縮ばねが連結され、前記スライドブロックのうち対称中心に近い側にはスポンジ接触クッションが固定的に連結され、前記緩衝チャンバの左右端外側には対称するロックブロックが固定的に連結される。
【０００８】
優選的には、前記取り外し可能なドア装置は、前記段階的放出チャンバとスライドできるように連結され、且つ前記ボールと当接できる埃止め板を含み、前記埃止め板の下面には前記ロックブロックとスライドできるように連結される掛けレバーが固定的に連結され、前記掛けレバーには前後対称のロックレバーが回転できるように連結され、前記ロックレバーと前記掛けレバーとはトーションバネ（付図に示していない）によって連結され、前記埃止め板にはカバーが嵌めて連結され、前記カバーの中には密封チャンバが設置され、前記密封チャンバの底端内壁には上下に伸びているプッシュレバーがスライドできるように連結され、前記プッシュレバーには前記密封チャンバの底部の外側に位置する緩衝スポンジが設置され、前記緩衝スポンジの上側と前記カバーの下側との間には止めばねが連結され、前記プッシュレバーの上端末端には左右対称のチェーンレバーが回転できるように連結され、前記チェーンレバーには前後を連通する矩形状の抜き穴（参照番号なし）が形成され、且つ前記抜き穴は前記チェーンレバーにおいて前記プッシュレバーから離れた側に位置し、前記密封チャンバの中には前記プッシュレバーの左右端に位置する対称のピストンブロックがスライドできるように連結され、前記ピストンブロックのうち互いに近接する側には引っ張りばねが連結され、前記ピストンブロックの前端端面には前記抜き穴（参照番号なし）とスライドできるように連結される固定テーパーが固定的に連結され、前記密封チャンバの底端の中には前記ピストンブロックのうち対称中心から離れている側に位置し、かつ対称する通気パイプが連通設置され、前記通気パイプには前記密封チャンバの底部の外側に位置するゴムリングが設置される。
【０００９】
優選的には、前記プッシュ配列装置は前記駆動チャンバの底端内壁に嵌めて設置されるモータを含み、前記モータの上端末端には上下に伸びている駆動軸が回転できるように連結され、前記駆動軸には上方から下方へと四組の駆動傘歯車が等距離に配列され、前記駆動軸には前記駆動傘歯車とスプラインを介して連結できる昇降摩擦ローラーがネジ山を介して連結され、前記駆動チャンバの中には前記駆動傘歯車とスライドできるように連結される支持リング（付図に示していない）が設置され、前記駆動チャンバの右内壁には前記整理チャンバに延在するネジ山軸が回転できるように連結され、前記ネジ山軸には前記駆動傘歯車と噛合し連結されることができる従動傘歯車が設置され、前記ネジ山軸には前記整理チャンバの中に位置するプッシュ爪がネジ山により連結される。
【発明の効果】
【００１０】
本発明の有益的な効果は：本発明は構造が簡単で、操作が便利で、各メガネの独立保護箱によりメガネに対する全面的な保護を実現し、また内蔵される緩衝構造により日常生活の使用と移動の外界からの衝撃を緩め、メガネの使用寿命を延長し、段階的にシングルバッチで放出する保存チャンバにより保護箱を順次に収集し、そして整理するとき保護箱を固定的な収納箱の中に置き、プッシュ配列装置により保護箱をきれいに順次に配置させ、その後の使用の選択と移動に便利である。
【図面の簡単な説明】
【００１１】
説明しやすいため、本発明は以下の具体的な実施例と付図を交え詳しく説明する。
【００１２】
【図１】図１は本発明の収納と選択機能を改善したメガネケースの全体構成略図
【図２】図２は図１の緩衝装置と取り外し可能なドア装置とが作動する時の構造略図
【図３】図３は図１のＡの拡大構成略図
【発明を実施するための形態】
【００１３】
下記に図１〜３をあわせて本発明について詳しく説明し、便利に説明するために、下記の方向を以下のように規定する：以下に述べる上下左右前後の方向と図１の自身投影関係の上下左右前後の方向とが一致である。
【００１４】
図１〜３を参照し、本発明の収納と選択機能を改善したメガネケースは、収納箱１０を含み、前記収納箱１０の前端端面には左右対称の保存装置が設置され、左端の前記保存装置の中には上から下まで取り外し可能なドア装置が等距離のように陳列され、右端の前記保存装置の中には上から下まで緩衝装置が等距離のように陳列され、使用者がメガネを前記収納箱１０の中に置く必要があるとき、前記保存装置を開く必要があり、前記緩衝装置と前記取り外し可能なドア装置とを取り出し、それをロックし、前記収納箱１０の中には前方に開口した整理チャンバ１１が設置され、前記整理チャンバ１１の頂端内壁には入り口２８が連通設置され、前記整理チャンバ１１の右側内壁には上から下まで三つのセットの分離板１２が等距離で配置され、組み合わせ完了の前記緩衝装置と前記取り外し可能なドア装置が前記入り口２８から前記整理チャンバ１１の中に置かれてきれいに並び、前記収納箱１０の中には前記整理チャンバ１１の左端に位置する駆動チャンバ２６が設置され、前記駆動チャンバ２６の中にはプッシュ配列装置が設置され、かつ前記整理チャンバ１１の中にある組み合わせ完了の前記緩衝装置と前記取り外し可能なドア装置とを制御し、前記分離板１２にきれいに配置できるようにする。
【００１５】
有益的には、前記保存装置は前記収納箱１０の前端端面に固定的に連結される保存箱１９を含み、前記保存箱１９の中には上方に開口した段階的放出チャンバ１８が設置され、前記段階的放出チャンバ１８のうち対称中心から離れている側の端面には左右に伸びている横揺動アーム１６が固定的に連結され、前記横揺動アーム１６には上に伸びている回転レバー１７が回転できるように連結され、前記回転レバー１７には上下に対称する回しレバー１５が設置され、前記段階的放出チャンバ１８の中には前記横揺動アーム１６の上下端に位置する対称になる止めドア１３がスライドできるように連結され、上端の前記止めドア１３と前記段階的放出チャンバ１８の頂端端面とがスライドできるように連結され、前記止めドア１３の前端端面には前記回しレバー１５とスライドできるように連結されるスライド溝１４が設置され、前記段階的放出チャンバ１８の内壁には左右対称の六組の収縮溝６４が上から下まで等距離で配置され、前記収縮溝６４の中にはボール６２がスライドできるように連結され、前記ボール６２のうち対称中心から離れている側と、前記収縮溝６４のうち対称中心から離れている側との間には戻しばね６３が連結され、前記段階的放出チャンバ１８の中には前記ボール６２と当接できる支え板６５がスライドできるように連結され、前記支え板６５の下側と前記段階的放出チャンバ１８の底端内壁との間には押し出しばね６６が連結され、左端の前記段階的放出チャンバ１８の中には前記ボール６２と当接できる取り外し可能なドア装置が上から下まで等距離の陳列で配置され、右端の前記段階的放出チャンバ１８の中には前記ボール６２と当接できる緩衝装置が上から下まで等距離で配置される。
【００１６】
有益的には、前記緩衝装置は前記段階的放出チャンバ１８の中にスライドできるように連結され、且つ前記ボール６２と当接する収容箱４５を含み、前記収容箱４５の中には上方に開口した緩衝チャンバ４６が設置され、前記緩衝チャンバ４６の底端内壁には上下に伸びている支持棒５０が固定的に連結され、前記支持棒５０の中には上下に貫通する段階的放出チャンバ１８が設置され、昇降チャンバ４８の左右端内壁にはリミットスライド溝５１が連通設置され、前記リミットスライド溝５１の中には駆動プッシュブロック４７がスライドできるように連結され、前記駆動プッシュブロック４７の下側と前記緩衝チャンバ４６の底端内壁との間には抑えばね４９が連結され、前記支持棒５０の上端端面には受け台５６が固定的に連結され、前記受け台５６の上端端面には上方に開口した隠れ溝５５が設置され、前記隠れ溝５５の底端内壁には上下に伸びている連結棒５３がスライドできるように連結され、前記連結棒５３の下端末端と前記駆動プッシュブロック４７との間が固定的に連結され、前記連結棒５３の上端末端には前記隠れ溝５５から伸び出す当接板５７が設置され、前記受け台５６には前記隠れ溝５５を中心として対称するつかみレバー５４が回転できるように連結され、前記つかみレバー５４の下端には前記駆動プッシュブロック４７と当接できるローラ５２が設置され、前記つかみレバー５４の上端にはメガネフレームと当接できる掴み金具５８が設置され、前記緩衝チャンバ４６の左右端内壁には前記受け台５６の上端に位置し、かつ対称するスライドレール４４が固定的に連結され、前記スライドレール４４の中にはスライドブロック４３がスライドできるように連結され、前記スライドブロック４３のうち対称中心から離れている側と前記緩衝チャンバ４６の内壁のうち互いに近接する側には圧縮ばね４１が連結され、前記スライドブロック４３のうち対称中心に近い側にはスポンジ接触クッション４２が固定的に連結され、前記緩衝チャンバ４６の左右端外側には対称するロックブロック２９が固定的に連結される。
【００１７】
有益的には、前記取り外し可能なドア装置は、前記段階的放出チャンバ１８とスライドできるように連結され、且つ前記ボール６２と当接できる埃止め板３１を含み、前記埃止め板３１の下面には前記ロックブロック２９とスライドできるように連結される掛けレバー４０が固定的に連結され、前記掛けレバー４０には前後対称のロックレバー３０が回転できるように連結され、前記ロックレバー３０と前記掛けレバー４０とはトーションバネ（付図に示していない）によって連結され、前記埃止め板３１にはカバー３３が嵌めて連結され、前記カバー３３の中には密封チャンバ３４が設置され、前記密封チャンバ３４の底端内壁には上下に伸びているプッシュレバー６０がスライドできるように連結され、前記プッシュレバー６０には前記密封チャンバ３４の底部の外側に位置する緩衝スポンジ５９が設置され、前記緩衝スポンジ５９の上側と前記カバー３３の下側との間には止めばね６１が連結され、前記プッシュレバー６０の上端末端には左右対称のチェーンレバー３６が回転できるように連結され、前記チェーンレバー３６には前後を連通する矩形状の抜き穴（参照番号なし）が形成され、且つ前記抜き穴は前記チェーンレバー３６において前記プッシュレバー６０から離れた側に位置し、前記密封チャンバ３４の中には前記プッシュレバー６０の左右端に位置する対称のピストンブロック３５がスライドできるように連結され、前記ピストンブロック３５のうち互いに近接する側には引っ張りばね３８が連結され、前記ピストンブロック３５の前端端面には前記抜き穴（参照番号なし）とスライドできるように連結される固定テーパー３７が固定的に連結され、前記密封チャンバ３４の底端の中には前記ピストンブロック３５のうち対称中心から離れている側に位置し、かつ対称する通気パイプ３９が連通設置され、前記通気パイプ３９には前記密封チャンバ３４の底部の外側に位置するゴムリング３２が設置される。
【００１８】
有益的には、前記プッシュ配列装置は前記駆動チャンバ２６の底端内壁に嵌めて設置されるモータ２４を含み、前記モータ２４の上端末端には上下に伸びている駆動軸２７が回転できるように連結され、前記駆動軸２７には上方から下方へと四組の駆動傘歯車２５が等距離に配列され、前記駆動軸２７には前記駆動傘歯車２５とスプラインを介して連結できる昇降摩擦ローラー２３がネジ山を介して連結され、前記駆動チャンバ２６の中には前記駆動傘歯車２５とスライドできるように連結される支持リング（付図に示していない）が設置され、前記駆動チャンバ２６の右内壁には前記整理チャンバ１１に延在するネジ山軸２１が回転できるように連結され、前記ネジ山軸２１には前記駆動傘歯車２５と噛合し連結されることができる従動傘歯車２２が設置され、前記ネジ山軸２１には前記整理チャンバ１１の中に位置するプッシュ爪２０がネジ山により連結される。
【００１９】
本発明の装置が初期状態に、前記取り外し可能なドア装置と前記緩衝装置を段階的に前記段階的放出チャンバ１８の中に取り付け、かつ前記支え板６５によって前記段階的放出チャンバ１８の最底端を抑え、前記押し出しばね６６に動力エネルギーを蓄積させ、前記モータ２４が閉じ、各部品が非作業状態にある。
【００２０】
本発明の装置を使用するとき、上端の前記止めドア１３をスライドして開き、上端の前記スライド溝１４と上端の前記回しレバー１５との当接により回転レバー１７をプッシュし回転させ、下端の前記回しレバー１５が下端の前記スライド溝１４との当接により前記止めドア１３をプッシュし当接させ、前記取り外し可能なドア装置と前記緩衝装置とを一つずつ取り出し組み合わせ、メガネを前記受け台５６に置き、メガネの重力により前記当接板５７を押し、前記連結棒５３により前記駆動プッシュブロック４７を下に移動させて前記抑えばね４９に動力エネルギーを蓄積させ、前記駆動プッシュブロック４７が前記ローラ５２との当接により前記つかみレバー５４を回転させて前記掴み金具５８にメガネフレームをロックさせ、また前記埃止め板３１に前記収容箱４５の上端をカバーさせ、前記掛けレバー４０がスライドし前記ロックブロック２９を貫通し、かつ前記ロックレバー３０の制限によりロックされ、そして組み合わせ完了の前記取り外し可能なドア装置と前記緩衝装置を前記入り口２８から前記整理チャンバ１１の中に置き、前記モータ２４が始動されて前記駆動軸２７を回転させ、前記駆動軸２７がネジ山による連結を通じて前記昇降摩擦ローラー２３を上に移動させ、前記昇降摩擦ローラー２３が前記駆動傘歯車２５との当接によりそれを回転させ、前記駆動傘歯車２５が噛合連結により前記従動傘歯車２２を回転させ、前記従動傘歯車２２が前記ネジ山軸２１により前記プッシュ爪２０を回転させ右に移動させ、これにより組み合わせ体をプッシュし移動させて前記分離板１２により制限されきれいに配列させ、移動する過程では、圧出や震動などの状況が出る可能性があり、このとき、組み合わせ体が左右に揺動するときに前記スポンジ接触クッション４２の柔らかい材質と、前記スライドブロック４３と前記圧縮ばね４１との固定連結を利用し衝撃を緩衝しメガネを保護でき、組み合わせ体が上下に揺動すると、メガネがジャンプして前記緩衝スポンジ５９と当接し前記プッシュレバー６０をプッシュして上に移動させて前記止めばね６１に動力エネルギーを蓄積させ、前記プッシュレバー６０が回転し、前記チェーンレバー３６が展開して前記ピストンブロック３５をプッシュして気体を押して気体を前記ゴムリング３２に充填しメガネと接触させ、メガネを保護する。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。